(57)【要約】【課題】  鏡の着脱がきわめて簡単で、かつ蓋体に強固に取着することができ、コンパクト容器の廃棄時には、鏡を簡単に取外して分離できるようにしたコンパクト容器を提供すること。【解決手段】  ケース本体と、鏡押え枠により鏡を取着した蓋体とからなるコンパクト容器であって、鏡押え枠が、押え枠と係合部材、および支持部材とからなり、係合部材が、蓋体の係止部材に設けた支持板に係合され、支持部材が、蓋体の後壁下端に設けた支持部に係合され、押え枠が、鏡の端縁部を押圧するようにされていることを特徴とする。【選択図】  図１
2005168599.tif 000002
【特許請求の範囲】
【請求項１】
ケース本体と、鏡押え枠により鏡を取着した蓋体とからなるコンパクト容器であって、
鏡押え枠が、押え枠と係合部材、および支持部材とからなり、
係合部材が、蓋体の係止部材に設けた支持板に係合され、
支持部材が、蓋体の後壁下端に設けた支持部に係合され、
押え枠が、鏡の端縁部を押圧するようにされていることを特徴とするコンパクト容器。
【請求項２】
支持部が、蓋体の後壁下端に設けられた蝶番部の少なくとも一部に内側面と上面を切欠いて形成されていることを特徴とする請求項１記載のコンパクト容器。
【発明の詳細な説明】
【技術分野】
【０００１】
本発明は、コンパクト容器、とくに鏡の着脱を容易にできるようにした鏡押え枠を蓋体に装着したコンパクト容器に関するものである。
【背景技術】
【０００２】
鏡付きコンパクト容器において、使用済みのコンパクト容器の廃棄時に、鏡をコンパクト容器から取外して分別廃棄することは従来より実施されており、例えば、特許文献１に示されるようなコンパクト容器が提案されている。
【特許文献１】特開２０００−７００３２号公報
【０００３】
特許文献１記載のコンパクト容器は、蓋の裏面に鏡を支持する凹部を設け、該凹部の前後の端縁に溝を設けたオーバーハング部を設け、双方のオーバーハング部の間で鏡を摺動させるとともに、凹部の中央部と鏡との間に介在させた弾性体により、鏡の両端縁をオーバーハング部に押しつけて鏡を溝内に保持するようにして、鏡を着脱自在に取着するようにしている。
【発明の開示】
【発明が解決しようとする課題】
【０００４】
しかしながら、上記特許文献１記載のコンパクト容器は、使用中に鏡面の曇りをとるため鏡を布などで拭く場合、布をコンパクト容器に対して前後方向に拭くと鏡が取り外れるという問題があった。
また、弾性体が凹部、または鏡に接着しているので、弾性体を分離することは困難であり、また、弾性体には、ゴムやスチレン系樹脂が用いられているので、異なる材料をすべて分離し、完全に分別廃棄することができないという問題があった。
【０００５】
本発明は、上記の問題点を解決することを課題として、鏡の着脱がきわめて簡単で、かつ蓋体に強固に取着することができ、コンパクト容器の廃棄時には、鏡を簡単に取外して分離できるようにしたコンパクト容器を提供することを目的とする。
【課題を解決するための手段】
【０００６】
本発明は、上記の課題を解決するため、コンパクト容器として、ケース本体と、鏡押え枠により鏡を取着した蓋体とからなるコンパクト容器であって、鏡押え枠が、押え枠と係合部材、および支持部材とからなり、係合部材が、蓋体の係止部材に設けた支持板に係合され、支持部材が、蓋体の後壁下端に設けた支持部に係合され、押え枠が、鏡の端縁部を押圧するようにされていることを特徴とする構成を採用する。
【０００７】
支持部の実施形態として、支持部が、蓋体の後壁下端に設けられた蝶番部の少なくとも一部に内側面と上面を切欠いて形成されていることを特徴とする構成を採用する。
【発明の効果】
【０００８】
蓋体の裏面に載置した鏡を、蓋体の頂壁裏面に設けた係止部材の支持板と蓋体後壁に設けた支持部との間に鏡押え枠を弾装し、鏡を押圧するようにしているから、鏡押え枠を用いるだけで、鏡を簡単、かつ強固に取着できるようになった。
また、鏡を囲む係止枠と押え枠とを係合させることによって、鏡をより強固に取着できるようになった。
【０００９】
また、鏡の取外しは、鏡押え枠と係止枠との係合を解くことによって簡単に取外せるので、分別廃棄が容易にできるようになった。
【発明を実施するための最良の形態】
【００１０】
次に、本発明のコンパクト容器の実施形態について説明する。
図１において、Ａはケース本体、Ｂはケース本体Ａに蝶番を介して取着された蓋体、Ｃは鏡押え枠である。
【００１１】
図１〜４に示すように、ケース本体Ａは、底壁１と、底壁１の各端縁に立設された前壁２と後壁３、および側壁４ａ，４ｂとからなっている。
図１、３、４に示すように、前壁２の中央部には嵌挿孔５が設けられており、前壁２の上面には挿入孔６が穿設されている。
嵌挿孔５の内側の端面７には、係止片８が突設されており、その下方に係止片８をはさんで上面を傾斜する案内面９とした案内突起１０が突設されている。
【００１２】
嵌挿孔５には操作部材１１が嵌挿され、操作部材１１は、上板１２と押え板１３と下板１４とからなっており、上板１２の内端には、薄肉部を介して案内突起１０の案内面９に係合する一対の作動板１５が設けられている。
下板１４の下面には、ストッパー１６が突設されており、底壁１に設けた係止溝に嵌挿され、操作部材１１の抜け落ちを防止している。
【００１３】
ケース本体Ａの後壁３には、蝶番取付のための切欠部１７が設けられ、切欠部１７の端面から後壁３を貫通する軸受孔１８ａ，１８ｂが穿孔されている。
ケース本体Ａ内部を区分して、仕切壁１９が設けられており、仕切板１９の一方には、化粧皿２０が収納され、他方にはパフが収納されるようになっている。
【００１４】
図３、４、５に示すように、蓋体Ｂは、頂壁２５と、該頂壁２５の端縁から垂設された前壁２６と、後壁２７および側壁２８ａ，２８ｂとからなっている。
前壁２６の内側の所定位置には、頂壁２５から隆起する突出面２９が配設され、該突出面２９には、係止部材３０が垂設されている。
【００１５】
係止部材３０は、その下面にケース本体Ａの案内突起１０の巾に対応する係合板３１を設け、両側に側板３２を設けた係止板３３を具備している。
係合板３１の中央には、閉蓋時にケース本体Ａの係止片８に係合する係止片３４が垂設され、係合板３１の裏面には、鏡押え枠Ｃを押圧支持する複数の支持板３５が立設されている。
【００１６】
後壁２７の下端には、両側部を蝶番用の軸受け３６とし中央部を鏡押え枠Ｃの支持部３７とした蝶番３８が設けられ、軸受け３６の端面には、軸受孔３９ａ，３９ｂが穿孔されている。
【００１７】
軸受孔３９ａ，３９ｂには、ケース本体Ａの後壁３に穿孔された軸受孔１８ａ，１８ｂを通じて、樹脂製蝶番ピン４０ａ，４０ｂが嵌挿され、蓋体Ｂは、蝶番３８を介してケース本体Ａに廻動自在に取着されている。
【００１８】
図４、５に示すように、支持部３７は、蝶番３８の内側面と上面を切欠部４１として、垂直面４２と、該垂直面４２に円弧によって連続する支持面４３とからなっており、支持部３７の後壁２７は、他の後壁部分に比べ薄肉の凹面４４となっており、垂直面４２より下方は手指の挿入部４５となっている。
【００１９】
図２、４、５に示すように、蓋板Ｂの頂壁２５裏面には、鏡押え枠Ｃによって鏡ｍが取着されている。
鏡押え枠Ｃは、鏡ｍの各端縁を押える角形の押え枠５０と、該押え枠５０の前枠５０ａの中央部に突設された係合部材５１と、後枠５０ｂに連設された支持部材５２とからなっている。
【００２０】
図２、６に示すように、押え枠５０の内周端縁には、鏡ｍの端縁を押圧する押え部５３が設けられており、押え枠５０の前枠５０ａの両端近くには、外方に突出する係合片５４が突設されている。
【００２１】
図５（ｂ）に示すように、係止部材５１は、押え枠５０から延びる板体５５と、該板体５５と押え枠５０との連接部、脚片５６とからなり、板体５５は、頂壁２５の係止部材３０の支持板３５に係合し、押圧されるようになっている。
【００２２】
図５（ａ）に示すように、支持部材５２は、後枠５０ｂに連設された断面円弧状の湾曲板５８と、該湾曲板５８の下端より屈曲し、支持部３７の支持面４３に係合する突出部５９を設け、先端を摘み部６０とした屈曲腕部６１とからなっている。
【００２３】
図２、４、６に示すように、押え枠５０の側枠５０ｃ，５０ｄおよび前枠５０ａ、後枠５０ｂの係合部材５１と支持部材５２を除いた部分には、押え枠５０に接する係止枠６２が鏡ｍを囲むように蓋体頂壁２５から垂設されており、前係止枠６２ａの両端近くには、押え枠５０の係合片５４が係合する係止面６３を設けた係止溝６４が穿設されている。
【００２４】
次に、本実施形態のコンパクト容器の鏡押え枠Ｃの取付けと、作用効果について説明する。
鏡ｍの取付けにあたっては、まず、蓋体Ｂの開蓋状態で、鏡ｍを係止枠６２内に載置する。
次いで、鏡押え枠Ｃの湾曲板５８を、切欠部４１上面と後壁２７の凹面４４との間に押込み、係合部材５１の板体５５を、蓋体Ｂの係止部材３０の支持板３５と頂壁２５の突出面２９との間に嵌挿する。
【００２５】
その際、押え枠５０は、係止部材３０の支持板３５側面と後壁２７の凹面４１ａとの間で湾曲され、湾曲板５８も湾曲されるが、係合部材５１の板体５５が押し込まれたときには、湾曲板５８が復元力によって、押え枠５０の押え片５３が鏡ｍを押圧するように作用し、鏡押え枠Ｃによって、鏡ｍを頂壁２５表面に強固に取着することができる。
【００２６】
鏡ｍの取外しにあたっては、摘み部６０をもって鏡押え枠を上方に引き上げることにより、鏡押え枠Ｃを蓋体Ｂから取外すことができる。
そして、鏡ｍを係止枠６２から取出すことによって、分別廃棄することができる。
【産業上の利用可能性】
【００２７】
本発明の鏡押え枠は、蓋体の係止部材と蓋体後壁との間に弾装することによって、鏡を蓋体裏面に押圧するようにしたから、コンパクト容器への鏡の取付け、取外しが簡単にでき、鏡とコンパクト容器との分別廃棄に役立てることができる。
【図面の簡単な説明】
【００２８】
【図１】本発明コンパクト容器の断面側面図である。
【図２】コンパクト容器の断面正面図である。
【図３】開蓋状態のコンパクト容器の断面側面図である。
【図４】開蓋状態のコンパクト容器の平面図である。
【図５】蓋体の腰部説明図で、（ａ）は図３のａ部分、（ｂ）は図３のｂ部分の拡大説明図である。
【図６】蓋体の図４のＡ−Ａ線における断面側面図である。
【符号の説明】
【００２９】
Ａ          ケース本体
Ｂ          蓋体
Ｃ          鏡押え枠
ｍ          鏡
１          底壁
２          前壁
３          後壁
４ａ，ｂ    側壁
５          嵌挿孔
８          係止片
１０        案内突起
１１        操作部材
１５        作動板
２５        頂壁
２６        前壁
２７        後壁
２８ａ，ｂ  側壁
３０        係止部材
３１        係合板
３３        係止板
３４        係止片
３５        支持板
３６        軸受け
３７        支持部
３８        蝶番
４１        切欠部
４２        垂直面
４３        支持面
４４        凹面
４５        挿入部
５０        押え枠
５０ａ      前枠
５０ｂ      後壁
５０ｃ，ｄ  側枠
５１        係合部材
５２        支持部材
５３        押え部
５４        係合片
５５        板体
５６、５７  脚片
５８        湾曲板
５９        突出部
６０        摘み部
６１        屈曲腕部
６２        係止枠
６３        係止面
６４        係止溝
【図１】
2005168599.tif 000003
【図２】
2005168599.tif 000004
【図３】
2005168599.tif 000005
【図４】
2005168599.tif 000006
【図５】
2005168599.tif 000007
【図６】
2005168599.tif 000008